(57)【要約】【課題】洗浄ノズルから噴射される洗浄液の床面等に対する圧力を低下させることなく、旋回パイプを旋回させることができる床面等の洗浄装置を提供する。【解決手段】旋回軸１９内に供給された洗浄液Ｗは垂直流路７１を通って左右の水平流路７３に導かれる。そして洗浄液Ｗは左右の旋回パイプ３１内に流入し、その一部は旋回力発生ブロック８１の旋回噴射口８５から床面等Ａと平行な旋回方向Ｃと反対の方向に向けて噴射され、旋回パイプ３１を旋回方向Ｃに旋回させる。一方、旋回パイプ３１内を流れる残りの洗浄液Ｗはノズル取付部材３５を介して洗浄ノズル３９に導かれ、開口部６３から鉛直方向下方に向けて噴射され、床面等Ａの洗浄に使用される。【選択図】        図２
2008073143.tif 000002
【特許請求の範囲】
【請求項１】
飛散防止カバーと、該飛散防止カバー内に突出して設けられた旋回軸と、該旋回軸に設けられ洗浄面とほぼ平行な姿勢で旋回する旋回パイプと、該旋回パイプの両端に取り付けられ、洗浄液を噴射する洗浄ノズルとを備えた床面等の洗浄装置において、前記旋回パイプに旋回力を発生させる旋回力発生手段が前記洗浄ノズルとは別に設けられていることを特徴とする床面等の洗浄装置。
【請求項２】
請求項１に記載した床面等の洗浄装置において、前記旋回力発生手段には旋回速度調整機能が付加されていることを特徴とする床面等の洗浄装置。
【請求項３】
請求項１または２に記載した床面等の洗浄装置において、前記旋回力発生手段は前記旋回パイプ内に形成されている洗浄液の流路と連通し、旋回方向と反対の方向に指向された旋回噴射口を設けることによって構成されていることを特徴とする床面等の洗浄装置。
【請求項４】
請求項３に記載した床面等の洗浄装置において、前記旋回力発生手段は前記旋回噴射口を備えた旋回力発生ブロックによって構成されており、当該旋回力発生ブロックの旋回パイプに対する取付角度を調節することによって旋回パイプの旋回速度を調節するようにしたことを特徴とする床面等の洗浄装置。
【請求項５】
請求項１または２に記載した床面等の洗浄装置において、旋回力発生手段は旋回軸に固定されて設けられ、旋回軸内を通過する洗浄液によって回転力が付与されるプロペラによって構成されていることを特徴とする床面等の洗浄装置。
【発明の詳細な説明】
【技術分野】
【０００１】
本発明は、板貼り、タイル貼り、石貼り、合成樹脂貼りあるいはガラス貼り等の各種の床面や床面に敷いたカーペットや各種のマットを洗浄するのに使用される床面等の洗浄装置に関するものである。
【背景技術】
【０００２】
ホテルやホールのロビー、各フロアに至る連絡通路やフロアの床面等、比較的広い面積を有する床面等を洗浄する場合には従来から床面等の洗浄装置が使用されている。
従来の床面等の洗浄装置は、飛散防止カバーと、該飛散防止カバー内に突出して設けられる旋回軸と、該旋回軸の下端に設けられる旋回パイプと、該旋回パイプの両端に固定状態で取り付けられる洗浄ノズルとを備えていた。
【０００３】
そして上記旋回軸の内部には旋回軸に供給された洗浄液を旋回パイプに導くための分岐流路が設けられており、該分岐流路を通って旋回パイプ内に導かれた洗浄液は旋回パイプ両端の洗浄ノズルから勢い良く噴射されて床面等の洗浄がされる。
また、洗浄ノズルは斜め下方を指向するように取り付けられており、該洗浄ノズルから噴射された斜め下方に向けての洗浄液の流勢によって旋回パイプに旋回力を発生させると共に、所望の洗浄力を得ていた。
【０００４】
しかしながら、洗浄ノズルを傾けると、床面等に対する洗浄液の圧力が弱くなるため洗浄力を低下させることになる。この傾向は洗浄ノズルの傾きが大きくなるほど顕著に現れる。逆に洗浄力を大きくしようとして洗浄ノズルの傾きを小さくすると、今度は旋回パイプの旋回力が低下してしまって洗浄領域を狭めることになり、洗浄ムラが発生するおそれがある。
【発明の開示】
【発明が解決しようとする課題】
【０００５】
本発明は上記背景技術が抱える問題点の存在を踏まえてなされたものであって、洗浄ノズルから噴射される洗浄液の床面等に対する圧力を低下させることなく、旋回パイプを旋回させることができる床面等の洗浄装置を提供することを、その目的とする。
【課題を解決するための手段】
【０００６】
上記課題を解決するために、請求項１に記載した発明は、飛散防止カバーと、該飛散防止カバー内に突出して設けられた旋回軸と、該旋回軸に設けられ洗浄面とほぼ平行な姿勢で旋回する旋回パイプと、該旋回パイプの両端に取り付けられ、洗浄液を噴射する洗浄ノズルとを備えた床面等の洗浄装置において、前記旋回パイプに旋回力を発生させる旋回力発生手段が前記洗浄ノズルとは別に設けられていることを特徴とする床面等の洗浄装置である。
【０００７】
請求項２に記載した発明は、請求項１に記載した床面等の洗浄装置において、前記旋回力発生手段には旋回速度調整機能が付加されていることを特徴とする床面等の洗浄装置である。
【０００８】
請求項３に記載した発明は、請求項１または２に記載した床面等の洗浄装置において、前記旋回力発生手段は前記旋回パイプ内に形成されている洗浄液の流路と連通し、旋回方向と反対の方向に指向された旋回噴射口を設けることによって構成されていることを特徴とする床面等の洗浄装置である。
【０００９】
請求項４に記載した発明は、請求項３に記載した床面等の洗浄装置において、前記旋回力発生手段は前記旋回噴射口を備えた旋回力発生ブロックによって構成されており、当該旋回力発生ブロックの旋回パイプに対する取付角度を調節することによって旋回パイプの旋回速度を調節するようにしたことを特徴とする床面等の洗浄装置である。
【００１０】
請求項５に記載した発明は、請求項１または２に記載した床面等の洗浄装置において、旋回力発生手段は旋回軸に固定されて設けられ、旋回軸内を通過する洗浄液によって回転力が付与されるプロペラによって構成されていることを特徴とする床面等の洗浄装置である。
【発明の効果】
【００１１】
本発明の床面等の洗浄装置によれば、旋回パイプに旋回力を発生させる旋回力発生手段が洗浄ノズルとは別に設けられているから、洗浄ノズルを鉛直方向下方に向けて指向させることが可能となる。従って、洗浄ノズルから噴射される洗浄液の床面等に対する圧力を低下させることなく、旋回パイプを旋回させることができるようになる。
また旋回力発生手段に旋回速度調整機能を付加した場合には、床面等の状態等に合わせて旋回パイプの旋回速度を可変することが可能になる。
【００１２】
上記旋回力発生手段を旋回パイプ内の洗浄液の流路と連通し、旋回方向に指向されている旋回噴射口を設けることによって構成した場合には、極めて簡単な構成によって旋回力発生手段を構成でき、上記所望の洗浄力と旋回パイプの旋回力を得ることができる。
また旋回力発生手段を、旋回噴射口を備えた旋回力発生ブロックによって構成し、該旋回パイプの取付角度を調節することによって旋回パイプの旋回速度を調節するようにした場合には、極めて簡単な構成によって旋回力発生手段に旋回速度調整機能を付加することが可能になる。
【発明を実施するための最良の形態】
【００１３】
図１から図６によって本発明の実施の形態１に係る床面等の洗浄装置１を説明する。
尚、本発明の床面等の洗浄装置１によって洗浄される床面等Ａには、板貼り、タイル貼り、石貼り、合成樹脂貼りあるいはガラス貼り等の各種の床面が含まれ、更にこれらの床面の上に敷き詰められるカーペットや各種のマットが含まれる。
【００１４】
床面等の洗浄装置１の下端には床面等Ａに摺接する環状ブラシ３が設けられている。環状ブラシ３は幅方向に長い帯状のブラシをリング状に湾曲させて成形したものである。
環状ブラシ３の上方には環状ブラシ３の上方空間を閉塞して洗浄液Ｗの外部への飛散を防止する飛散防止カバー５が設けられている。飛散防止カバー５は直径が３００〜５００ｍｍ程度、高さが３００〜４００ｍｍ程度のステンレス製の上面７を有する短寸法の円筒状の部材である。
飛散防止カバー５の周胴部には断面Ｌ字状の取付ブラケット１１が等間隔に３個設けられている。そして各取付ブラケット１１の先端部にはキャスタ１３がボルト１５を使用して取り付けられている。
【００１５】
また、飛散防止カバー５の上面７の中心には図示しない貫通穴が形成されており、該貫通穴を利用して飛散防止カバー５の上面７を貫く、管継手を兼ねた固定部１７が取り付けられている。
固定部１７は飛散防止カバー５の上面７に固定されており、固定部１７の飛散防止カバー５の上面７から上方に突出している部分の側胴部には１８０°角度を異ならせてソケットタイプの管継手２１が設けられている。管継手２１には洗浄液Ｗの供給管路を兼ねた２本のアーム部２３の一端が回動自在に接続されている。アーム部２３はステンレス製のパイプ材を適宜折り曲げることによって形成されており、管継手２１から幅方向、そして前方に短く繰り出された後、上方に長く繰り出された形状を有している。
【００１６】
２本のアーム部２３の他端はＹ字タイプの管継手２５に接続されており、管継手２５の残りの１つのポートを利用して洗浄液Ｗの供給、停止を片手操作で切り替えることができる引金（トリガー）式の操作ハンドル２７が取り付けられている。操作ハンドル２７には洗浄液Ｗの供給ホース２９が接続されている。
【００１７】
固定部１７には旋回軸１９が取り付けられており、この旋回軸１９は飛散防止カバー５内に突出して設けられている。旋回軸１９は軸受機構２０によって固定部１７に対し回転自在で、且つ下方へ抜け落ちないように支持されている。旋回軸１９の内部には垂直流路７１と、この垂直流路７１に連続する水平流路７３とが形成されている。
旋回軸１９の外周面には１８０°角度を異ならせて外方に張り出すように床面等Ａと平行に２本の旋回パイプ３１が取り付けられている。旋回パイプ３１はステンレス製のストレートパイプ材によって形成されており、その両端には雄ネジ部３３が形成されている。
旋回パイプ３１の内側端部に形成されている雄ネジ部３３は上述した水平流路７３に形成されている雌ネジ部７４に螺合されている。
一方、旋回パイプ３１の外側端部に形成されている雄ネジ部３３は次に述べる旋回力発生ブロック８１に形成された図示しない連絡通路の両端に形成されている図示しない雌ネジ部の一方に接続されている。
【００１８】
旋回力発生手段としての旋回力発生ブロック８１は矩形ブロック状の部材であり、旋回噴射口８５が設けられている。旋回噴射口８５は旋回パイプ３１内に形成されている洗浄液Ｗの流路８３と連通し、旋回方向Ｃと反対の方向に指向された旋回噴射口８５が設けられている。旋回力発生ブロック８１は雄ネジ部３３と図示しない雌ネジ部との螺合状態を可変することによって図５中矢印で示すように旋回パイプ３１に対する取付角度が調節できるようになっている。
【００１９】
旋回力発生ブロック８１の取付角度が変更されると、旋回噴射口８５の指向する方向が変わるため旋回噴射口８５から噴射される洗浄液Ｗの旋回力として作用する水平方向の分力が増減するようになる。
従って旋回力発生ブロック８１の取付角度を調節することによって、旋回パイプ３１の旋回速度を調節できる。
【００２０】
旋回力発生ブロック８１における図示しない連絡通路の外側端部に形成された図示しない雌ネジ部には、両端に雄ネジ部９１が形成されたニップルタイプの管継手９３の一方の雄ネジ部９１が螺合している。また管継手９３の他方の雄ネジ部９１はその外方近傍に位置するノズル取付部材３５の雌ネジ部３７に螺合している。
ノズル取付部材３５は真鍮製の管継手によって構成されている。ノズル取付部材３５には管継手９３の外方の雄ネジ部９１と螺合する雌ネジ部３７が内側端面に形成されている。更にノズル取付部材３５の周胴部の下方位置にはニップルタイプの他の管継手４１を取り付けるための雌ネジ部４３が形成されている。
【００２１】
雌ネジ部４３は雌ネジ部３７と直交する方向に形成されており、これら２つの雌ネジ部４３、３７は連通するように設けられている。
管継手９３とノズル取付部材３５との間には管継手９３の外方の雄ネジ部９１と螺合するロックナット４５が設けられている。そしてこのロックナット４５を使用することによってノズル取付部材３５の取付角度が適宜調節でき、調節した位置でノズル取付部材３５を管継手９３に対して固定できるようになっている。
【００２２】
ノズル取付部材３５の雌ネジ部４３には管継手４１を介して洗浄ノズル３９が取り付けられている。
洗浄ノズル３９はケーシング４７と、ケーシング４７の内部に形成された擂り鉢形状の揺動空間４９と、揺動空間４９内に収容され、中心にノズル口５１が貫通状態で形成されている揺動子５３とを備えている。ノズル口５１は、その横断面形状が真円形状に形成されている。
【００２３】
ケーシング４７は先端が幾分窄まったプラスチック製の筒状のカバー部５５と、カバー部５５の内部に収容される真鍮製のハウジング部５７とによって構成されている。
ハウジング部５７の中心には洗浄液Ｗの通り路となる流路５９が形成されており、流路５９の上端には管継手４１と接続するための雌ネジ部６１が形成されている。
【００２４】
流路５９の途中から下端にかけての部分には揺動空間４９が形成されている。揺動空間４９の底部は凹球面状になっていて、その中心に洗浄液Ｗの噴射角度θを実質的に設定する開口部６３が設けられている。図示の実施の形態では上記噴射角度θを１５°〜３０°に設定している。
揺動子５３は砲弾形状をした部材で、上記外周面には螺線状に配置された複数枚の揺動回転羽根６５が設けられている。また揺動子５３の下端部は球面状になっており、上記凹球面状の揺動空間４９の底部に対して揺動回転しながら摺接するようになっている。
従って本実施の形態では図６に示すように洗浄ノズル３９が本来有する噴射角度θに加えて、揺動子５３の揺動回転に伴う振れ角度βが作用するため、極めて広い範囲の洗浄領域６７が確保される。
【００２５】
この床面等の洗浄装置１では、作業者が操作ハンドル２７を握って操作し、環状ブラシ３を床面等Ａに滑らせるように移動させる。前述のように２本のアーム部２３の一端は管継手２１に回動自在に接続されているので、アーム部２３の傾斜角度を自由に調節することができる。従って、作業者の身長や作業内容に適したアーム部２３の傾斜角度を自由に選択することが可能である。
【００２６】
操作ハンドル２７の引金（トリガー）を引くと、高圧ポンプ（図示せず）に接続された供給ホース２９から操作ハンドル２７、管継手２５、アーム部２３及び管継手２１を介して洗浄液Ｗが固定部１７、更に旋回軸１９内に圧送される。
旋回軸１９内に供給された洗浄液Ｗは垂直流路７１を通って左右の水平流路７３に導かれる。そして洗浄液Ｗは左右の旋回パイプ３１内に流入し、その一部は旋回力発生ブロック８１の旋回噴射口８５から床面等Ａと平行な旋回方向Ｃと反対の方向に向けて噴射され、旋回パイプ３１を旋回方向Ｃに旋回させる。
一方、旋回パイプ３１内を流れる残りの洗浄液Ｗはノズル取付部材３５を介して洗浄ノズル３９に導かれ、開口部６３から鉛直方向下方に向けて噴射され、床面等Ａの洗浄に使用される。
【００２７】
旋回パイプ３１の旋回は洗浄ノズル３９とは別体に独立して設けられた旋回力発生ブロック８１によって行われているため、洗浄ノズル３９は洗浄力が最も大きくなる鉛直方向下向に指向させることが可能になっている。また旋回パイプ３１の旋回速度の調節も洗浄ノズル３９とは無関係に旋回力発生ブロック８１の取付角度を調節するだけで行うことができ、従来のように旋回パイプ３１の旋回速度を速めると洗浄ノズル３９の洗浄力が低下してしまうというような問題は生じない。
【００２８】
図７から図８によって本発明の実施の形態２に係る床面等の洗浄装置１０１を説明する。
床面等の洗浄装置１０１は実施の形態１に係る床面等の洗浄装置１とほぼ同様な構成を有しているので、同様な構造部分については実施の形態１と同じ符号を付して説明を省略し、実施の形態１０１の実施の形態２との相違点についてのみ説明することとする。
【００２９】
旋回パイプ１３１には、旋回力発生ブロック８１と管継手９３は取り付けられておらず、また旋回パイプ１３１は実施の形態１の旋回パイプ３１よりも長さ寸法が大きくなっている。更に旋回パイプ１３１の端部には雄ネジ部１９１が形成されており、この雄ネジ部１９１にロックナット４５、ノズル取付部材３５が螺合されている。
旋回軸１９内にはプロペラ１３５が備えられており、このプロペラ１３５は軸部１３７と４枚の羽根部１３９とによって構成され、軸部１３７が旋回軸１９の底部に固定されている。また４枚の羽根部１３９は上方からの水流を受けると、プロペラ１３５が回転するように湾曲しかつ傾斜している。
【００３０】
この床面等の洗浄装置１０１では、洗浄液Wが垂直通路７１から水平流路７３へ流入する際に、洗浄液Wがプロペラ１３５の羽根部１３９に当たると、プロペラ１３５が回転し、このプロペラ１３５と共に旋回軸１９が旋回する。これにより旋回パイプ１３１を旋回方向Ｃに旋回させられ、実施の形態１に係る床面等の洗浄装置１と同様にして、洗浄ノズル３９から鉛直方向下方に向けて噴射される洗浄液Ｗによって、床面等Ａの洗浄に使用される。
【００３１】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、洗浄ノズル３９及び旋回力発生ブロック８１の数は１本の旋回パイプ３１に対して１個ずつ設ける他、１本の旋回パイプ３１に対して複数個設けることも可能である。また旋回パイプ３１の数も２本に限らず、１本でもよいし、３本以上であっても構わない。
【００３２】
また洗浄ノズル３９は旋回パイプ３１の旋回力発生手段として使用されていないから旋回パイプ３１に対して固定状態で取り付けられていてもよく、その場合にはロックナット４５等ノズル取付部材３５の取付角度の調節に使用されている部材を省略することも可能である。
洗浄ノズル３９を鉛直方向下方に向けて取り付けることによって十分な洗浄領域６７が確保できる場合には洗浄領域６７を拡大するために設けた揺動子５３や揺動空間４９等の構成を省略することが可能である。そしてこの場合にはコンパクトな簡単な構成の洗浄ノズル３９が使用できるため、部品コストの削減を図ることができ、洗浄ノズル３９が小さくなった分、飛散防止カバー５の高さを低くすることも可能である。
この他、洗浄ノズル３９に供給する洗浄液Ｗは洗剤が含まれた水に限らず、単なる水道水等であってもよい。
【産業上の利用可能性】
【００３３】
本発明は各種の床面や床面に敷いたカーペット等を洗浄するのに使用される床面等の洗浄装置の製造、使用分野等で利用でき、特に洗浄ノズルから噴射される洗浄液の洗浄力を下げることなく旋回パイプの旋回力を高め、洗浄液の流勢の損失を小さくして効率的な洗浄液の供給を図りたい場合に利用可能性を有する。
【図面の簡単な説明】
【００３４】
【図１】本発明の実施の形態１に係る床面等の洗浄装置を示す斜視図である。
【図２】本発明の実施の形態１に係る床面等の洗浄装置における飛散防止カバーの内部を示す中央縦断正面図である。
【図３】本発明の実施の形態１に係る床面等の洗浄装置における飛散防止カバーの内部を示す底面図である。
【図４】本発明の実施の形態１に係る床面等の洗浄装置における旋回軸周辺を拡大して示す中央縦断正面図である。
【図５】本発明の実施の形態１に係る床面等の洗浄装置における旋回力発生ブロック周辺を拡大して示す側断面図である。
【図６】本発明の実施の形態１に係る床面等の洗浄装置における洗浄ノズルの内部構造の概要を示す側断面図である。
【図７】本発明の実施の形態２に係る床面等の洗浄装置における飛散防止カバーの内部を示す底面図である。
【図８】本発明の実施の形態２に係る床面等の洗浄装置における旋回軸周辺を拡大して示す中央縦断正面図である。
【符号の説明】
【００３５】
１、１０１  床面等の洗浄装置        ３  環状ブラシ
５  飛散防止カバー        ７  上面        １１  取付ブラケット
１３  キャスタ        １５  ボルト      １７  固定部
１９  旋回軸        ２０  軸受機構        ２１  管継手
２３  アーム部        ２５  管継手        ２７  操作ハンドル
２９  供給ホース      ３１、１３１  旋回パイプ      ３３  雄ネジ部
３５  ノズル取付部材        ３７  雌ネジ部        ３９  洗浄ノズル
４１  管継手        ４３  雌ネジ部        ４５  ロックナット
４７  ケーシング        ４９  揺動空間        ５１  ノズル口
５３  揺動子        ５５  カバー部        ５７  ハウジング部
５９  流路        ６１  雌ネジ部        ６３  開口部
６５  揺動回転羽根        ６７  洗浄領域        ７１  垂直流路
７３  水平流路        ７４  雌ネジ部        ７７  整流プロペラ
７９  回転軸        ８１  旋回力発生ブロック        ８３  流路
８５  旋回噴射口        ９１  雄ネジ部        ９３  管継手
１３５  プロペラ        １３７  軸部        １３９  羽根部
１９１  雄ネジ部
Ａ  床面等        Ｗ  洗浄液        θ  噴射角度
β  振れ角度      Ｃ  旋回方向
【図１】
2008073143.tif 000003
【図２】
2008073143.tif 000004
【図３】
2008073143.tif 000005
【図４】
2008073143.tif 000006
【図５】
2008073143.tif 000007
【図６】
2008073143.tif 000008
【図７】
2008073143.tif 000009
【図８】
2008073143.tif 000010